(57)【要約】【課題】画像形成を制限している状態であっても、一定の画像形成を許可する仕組みを提供する。【解決手段】本画像形成装置は、印刷ジョブを受け付けた際に、カートリッジによる画像形成の実行が制限されているカートリッジ制限モードである場合に、受け付けたジョブが特定のジョブであるか否かを判断する。さらに、本画像形成装置は、受け付けたジョブが特定のジョブであると判断されると、制限されている画像形成の実行を許可する。【選択図】  図４
2018101111.tif 000002
【特許請求の範囲】
【請求項１】
画像形成に関わるカートリッジを着脱可能な画像形成装置であって、
ジョブを受け付ける受付手段と、
前記受付手段によってジョブを受け付けた際に、前記カートリッジによる画像形成の実行が制限されている制限モードである場合に、前記受け付けたジョブが特定のジョブであるか否かを判断する判断手段と、
前記判断手段によって前記受け付けたジョブが前記特定のジョブであると判断されると、制限されている画像形成の実行を許可する制御手段と
を備えることを特徴とする画像形成装置。
【請求項２】
前記制御手段は、
前記判断手段によって前記受け付けたジョブが前記特定のジョブでないと判断されると、画像形成が制限されている旨を表示部に表示し、画像形成を実行しないことを特徴とする請求項１に記載の画像形成装置。
【請求項３】
前記制御手段は、
前記判断手段によって前記受け付けたジョブが前記特定のジョブでないと判断されると、一時的に画像形成を許可する否かを選択するための選択画面を表示部に表示し、当該選択画面を介したユーザ入力に応じて画像形成を制限するか又は許可するかを切り替えることを特徴とする請求項１に記載の画像形成装置。
【請求項４】
前記制御手段は、
前記一時的に画像形成を許可した場合に、画像形成が終了すると、前記画像形成装置を前記制限モードに移行させることを特徴とする請求項３に記載の画像形成装置。
【請求項５】
前記受付手段は、前記画像形成装置の操作部を介して指示されたジョブを受け付けることを特徴とする請求項１乃至４の何れか１項に記載の画像形成装置。
【請求項６】
前記受付手段は、外部装置から指示されたジョブを受け付けることを特徴とする請求項１乃至５の何れか１項に記載の画像形成装置。
【請求項７】
前記特定のジョブとは、カートリッジに関わる情報を印刷するジョブであることを特徴とする請求項１乃至６の何れか１項に記載の画像形成装置。
【請求項８】
前記特定のジョブとは、所定のユーザから指示されたジョブ又は所定の装置から指示されたジョブであることを特徴とする請求項１乃至７の何れか１項に記載の画像形成装置。
【請求項９】
前記特定のジョブとは、画像形成を許可することを示す許可情報を含むジョブであることを特徴とする請求項１乃至８の何れか１項に記載の画像形成装置。
【請求項１０】
画像形成に関わるカートリッジを着脱可能な画像形成装置であって、
受付手段が、ジョブを受け付ける受付工程と、
判断手段が、前記受付工程でジョブを受け付けた際に、前記カートリッジによる画像形成の実行が制限されている制限モードである場合に、前記受け付けたジョブが特定のジョブであるか否かを判断する判断工程と、
制限手段が、前記判断工程で前記受け付けたジョブが前記特定のジョブであると判断されると、制限されている画像形成の実行を許可する制御工程と
を実行することを特徴とする画像形成装置の制御方法。
【請求項１１】
画像形成に関わるカートリッジを着脱可能な画像形成装置の制御方法における各工程をコンピュータに実行させるためのプログラムであって、前記制御方法は、
受付手段が、ジョブを受け付ける受付工程と、
判断手段が、前記受付工程でジョブを受け付けた際に、前記カートリッジによる画像形成の実行が制限されている制限モードである場合に、前記受け付けたジョブが特定のジョブであるか否かを判断する判断工程と、
制限手段が、前記判断工程で前記受け付けたジョブが前記特定のジョブであると判断されると、制限されている画像形成の実行を許可する制御工程と
を実行することを特徴とするプログラム。
【発明の詳細な説明】
【技術分野】
【０００１】
本発明は、画像データに従ってシートに印刷を実行する画像形成装置、その制御方法、及びプログラムに関する。
【背景技術】
【０００２】
複合機やプリンタには、トナーカートリッジやその他部品などの消耗品を消耗しながら動作する部分が含まれる。従って、消耗度合が一定となった消耗品は新しいものに交換される運用形態となる。トナーカートリッジには、例えば様々な色表現を実現する目的で、同一機種に適用可能なものが複数種類存在することがある。そのためユーザは、誤って意図しないカートリッジを購入してしまうことがある。例えば、意図しないカートリッジを購入したユーザは、自身の意図していない印刷結果を取得することとなり、ユーザに対し印刷失敗コストを負担させることとなっていた。
【０００３】
上述のような失敗を防ぐため、特許文献１には、特定の種類のカートリッジと判断した場合のみ印刷を許可し、それ以外では印刷を禁止する技術が提案されている。このような技術を用いれば、意図しないカートリッジにおける印刷を実行せずに済み、さらに自身の購入したカートリッジが意図しないものであることに気づくことができる。また、特許文献２には、消耗品の補充が必要となったときに、ユーザがトナーカートリッジなどの消耗品を購入するために必要な情報（製品名称、購入先の連絡先など）をプリントアウトする（以下、消耗品プリントと称する。）複合機が提案されている。
【先行技術文献】
【特許文献】
【０００４】
【特許文献１】特開２００８−１５２４１９号公報
【特許文献２】特開２０１３−１７１１３３号公報
【発明の概要】
【発明が解決しようとする課題】
【０００５】
しかしながら、上記従来技術には以下に記載する課題がある。例えば、上記従来技術のように、所定のトナーカートリッジ以外のトナーカートリッジがセットされている場合に一切の印刷を禁止すると、上述のような消耗品プリントも実行することができなくなってしまう。従って、ユーザが本来購入すべきカートリッジ情報を取得することが制限されてしまうという課題があった。
【０００６】
本発明は、上述の問題に鑑みて成されたものであり、画像形成を制限している状態であっても、一定の画像形成を許可する仕組みを提供することを目的とする。
【課題を解決するための手段】
【０００７】
本発明は、例えば、画像形成に関わるカートリッジを着脱可能な画像形成装置であって、ジョブを受け付ける受付手段と、前記受付手段によってジョブを受け付けた際に、前記カートリッジによる画像形成の実行が制限されている制限モードである場合に、前記受け付けたジョブが特定のジョブであるか否かを判断する判断手段と、前記判断手段によって前記受け付けたジョブが前記特定のジョブであると判断されると、制限されている画像形成の実行を許可するする。
【発明の効果】
【０００８】
本発明によれば、画像形成を制限している状態であっても、一定の画像形成を許可することができる。
【図面の簡単な説明】
【０００９】
【図１】一実施形態に係る画像形成装置のブロック図。
【図２】一実施形態に係るカートリッジ制限モード時の消耗品情報に関する印刷ジョブの制御方法を説明するフローチャート。
【図３】一実施形態に係るカートリッジ制限モードに関わる画面を説明する図。
【図４】一実施形態に係るカートリッジ制限モード時の消耗品情報に関する印刷ジョブの制御方法を説明するフローチャート。
【図５】一実施形態に係るカートリッジ制限モードに関わる画面を説明する図。
【発明を実施するための形態】
【００１０】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１１】
＜第１の実施形態＞
＜画像形成装置の概略構成＞
以下では、本発明の第１の実施形態について説明する。まず、図１を参照して、本実施形態に係る画像形成装置の構成例について説明する。ここでは、画像形成装置として印刷装置を例に説明するが、本発明はこれに限定されず、消耗品を搭載する画像形成装置であれば適用可能である。
【００１２】
画像形成装置１００は、ＣＰＵ１０１と、ＲＯＭ１０２と、ＲＡＭ１０３と、プリンタ１０４と、操作表示部１０５とを備える。また、画像形成装置１００は、外部との通信インタフェースとして、ＵＳＢ（Ｕｎｉｖｅｒｓａｌ  Ｓｅｒｉａｌ  Ｂｕｓ）Ｉ／Ｆ１０６と、ネットワークＩ／Ｆ１０７とを備える。また、プリンタ１０４には、画像形成に関わるカートリッジ、例えばトナーカートリッジが着脱可能である。トナーカートリッジは消耗品であり、取り替え時期がくるとユーザによって取り替えられるものであり、誤って意図しないカートリッジが装着される場合もある。
【００１３】
ＣＰＵ１０１は、システム制御部であり、画像形成装置１００の全体を統括的に制御する。ＲＯＭ１０２は、ＣＰＵ１０１の制御プログラムを格納している。なお、上記制御プログラムは、以下に説明する実施例を実行する制御プログラムである。またＲＯＭ１０２は、書き換え可能なフラッシュＲＯＭなどの種類があり、画像形成装置１００のユーザが登録した設定値、管理データ等を格納する。ＲＡＭ１０３は、実行プログラム、プログラム制御変数、各種ワーク用バッファ等や、画像形成装置１００のユーザが登録した一部の設定値、管理データ等を格納する。
【００１４】
プリンタ１０４は受信画像やファイルデータを記録紙に記録する。操作表示部１０５は操作部であるキーボード、タッチパネルや、表示部であるＬＣＤ、ＬＥＤ等で構成され、ユーザによる各種操作を受け付けたり、操作画面を表示したり、ユーザへの通知を行う。
【００１５】
ＵＳＢ  Ｉ／Ｆ１０６は、不図示のＵＳＢデバイスとの接続、通信及び電力供給などを行う。ネットワーク  Ｉ／Ｆ１０７は、ＬＡＮ１０９を介して画像形成装置１００の各部とのデータ送受信を行う。特に、外部端末等の端末１０８からの印刷ジョブ受信や、装置１００の制御情報の受信を行う。なお、ＬＡＮ１０９には、有線で通信を行うもの（有線ＬＡＮ）と、無線で通信を行うもの（無線ＬＡＮ）を含む。
【００１６】
＜処理手順＞
次に、図２を参照して、本実施形態に係るカートリッジ制限モード時の消耗品情報に関する印刷ジョブを制御する処理手順について説明する。以下で説明する処理は、例えば、ＣＰＵ１０１がＲＯＭ１０２等から読み出したプログラムを実行することによって実現される。なお、ここでは消耗品情報に関する印刷ジョブ（特定の印刷ジョブ）のみを許可対象の印刷ジョブとして説明する。なお、本発明は許可対象の印刷ジョブとして様々な印刷ジョブを設定することができる。詳細については後述する。
【００１７】
ここで、カートリッジ制限モードとは、所定の種類のカートリッジ以外のカートリッジが画像形成装置１００に装着されている場合に、画像形成装置１００による印刷処理の実行を制限するモードである。カートリッジ制限モードを有効化することにより、ユーザが所望の種類のカートリッジ以外のカートリッジを誤って装置に装着し、印刷処理を実行してしまうことを防ぐことができる。例えば、プリントシステムの管理者が印刷物の品質等の観点から、所定の種類のカートリッジを用いてシステムを運用する運用ポリシーを決定した場合について説明する。このような場合に、システムの利用者が管理者の運用ポリシーに気付かずに、或いは、誤って所定の種類以外のカートリッジを装着して印刷処理を実行してしまう場合がある。そこで、カートリッジ制限モードを有効化することにより、管理者以外のユーザが意識しなくても、所定の種類以外のカートリッジを装着すると印刷処理の実行が制限されるため、運用ポリシーに則った印刷処理を実行させることができる。本実施形態においては、カートリッジ制限モードの機能を有効とするか否かは管理者等のユーザが設定により切り替えることができる。
【００１８】
また消耗品情報とは、カートリッジなどの消耗品を購入するためにユーザが用いる情報である。消耗品情報とは例えば、消耗品の製品名称、購入先の連絡先や住所などを示す情報である。消耗品情報は、画像形成装置１００に予め保持されていることが望ましい。なお、サーバ等にネットワークを介して接続されている場合には、当該サーバ等から消耗品情報を取得するようにしてもよい。
【００１９】
まず、Ｓ２０１で、画像形成装置１００のＣＰＵ１０１は、受付手段として機能し、外部接続された端末１０８又はから画像形成装置１００の操作表示部１０５を介して指示された印刷ジョブを受け付ける。続いて、Ｓ２０２で、ＣＰＵ１０１は、予めユーザによって設定された、カートリッジ制限モードの設定状態を判断する。制限モードがＯＮ（有効）の場合（Ｓ２０２の”Ｙｅｓ”の分岐）はＳ２０３に進み、そうでない場合はＳ２０５に進む。
【００２０】
Ｓ２０３で、ＣＰＵ１０１は、現在、画像形成装置１００に装着されているカートリッジが制限対象のカートリッジか否かを判断する。当該判断処理は、例えば、装着されたカートリッジに設けられた制御チップと通信し、当該制御チップからカートリッジに関する情報、例えば製品情報を取得し、取得した情報に基づいて行われてもよい。この場合、例えば、所定の情報が得られた場合は制限対象でないカートリッジであると判断し、所定の情報が得られなかった場合に制限対象のカートリッジであると判断してもよい。或いはその逆の判断がなされてもよい。カートリッジが制限対象であった場合（２０３の”Ｙｅｓ”の分岐）はＳ２０４に進み、そうでない場合はＳ２０５に進む。
【００２１】
Ｓ２０４で、ＣＰＵ１０１は、受け付けた印刷ジョブのジョブ種別が消耗品情報関連の印刷であるか否かを判断する。ここで、消耗品情報関連のジョブ種別のジョブとは、例えば、上述の消耗品情報を画像形成装置１００に印刷させる処理を実行させるジョブである。例えば、ユーザが、操作表示部１０５を操作して、消耗品情報を印刷する指示を画像形成装置１００に入力した場合に、消耗品情報関連ジョブが発行される。消耗品情報関連の印刷ジョブであった場合（２０４の”Ｙｅｓ”の分岐）はＳ２０５に進み、そうでない場合はＳ２０６に進む。
【００２２】
Ｓ２０５で、ＣＰＵ１０１は、印刷ジョブに従って印刷を実行し、処理を終了する。一方、消耗品情報関連の印刷ジョブでなかった場合（２０４の”Ｎｏ”の分岐）はＳ２０６で、ＣＰＵ１０１は、印刷エラーである旨の画面を表示し、印刷を実行せずに処理を終了する。なお、カートリッジ制限モードがＯＦＦの場合（２０２の”Ｎｏ”の分岐）、又はカートリッジが制限対象でない場合（２０３の”Ｎｏ”の分岐）にも、Ｓ２０５で、ＣＰＵ１０１は印刷を実行し、処理を終了する。
【００２３】
＜画面例＞
次に、図３を参照して、本実施形態に係る画像形成装置１００の操作表示部１０５に表示される画面例について説明する。なお、ここでは、操作表示部１０５への表示画面例として説明するが、本発明はこれに限定されず、ネットワークを介して接続された端末１０８の表示部に表示されてもよい。即ち、カートリッジ制限モードの設定は外部端末である端末１０８からの指示に基づいて行われてもよい。
【００２４】
設定画面３００は、カートリッジ制限モードを設定するための画面である。設定画面３００は、ユーザによる操作表示部１０５を介した所定の操作に応じて、操作表示部１０５に表示される。設定画面３００には、カートリッジ制限モードを有効にする選択肢３０１と、無効にする選択肢３０２が選択可能に表示される。選択肢３０１及び選択肢３０２は操作表示部１０５を介したユーザ入力従って選択される。図３では、選択肢３０１が選択された状態を示す。
【００２５】
表示画面３１０は、本発明におけるカートリッジ制限モードの有効時における印刷不可を示す表示画面であり、上記Ｓ２０６で操作表示部１０５に表示されるエラー画面である。表示画面３１０には、カートリッジ制限モードによって印刷ジョブが実行不可の旨と、装着されているカートリッジの確認を促すメッセージが表示される。
【００２６】
以上説明したように、本実施形態に係る画像形成装置は、印刷ジョブを受け付けた際に、カートリッジによる画像形成の実行が制限されているカートリッジ制限モードである場合に、受け付けたジョブが特定のジョブであるか否かを判断する。さらに、本画像形成装置は、受け付けたジョブが特定のジョブであると判断されると、制限されている画像形成の実行を許可する。例えば、本実施形態によれば、カートリッジ制限モードが有効化されている場合であっても、消耗品情報についての印刷ジョブの実行を許可し、他のジョブの印刷の実行を制限する。つまり、意図しないカートリッジが装着されている場合であっても、ユーザが必要とする情報の印刷については実行を許可する仕組みを提供することができる。これにより、ユーザは、例えばカートリッジ制限モードによって制限されない所定のカートリッジの購入情報を容易に取得することができる。
【００２７】
なお、本発明は上記実施形態に限らず様々な変形が可能である。例えば、本実施形態においては、カートリッジ制限モードであっても、ジョブ種別が消耗品情報関連のジョブの場合に印刷の実行を許可するように制御する形態について説明したが、本発明はこれに限定されない。即ち、本発明においては、他のジョブ種別を受け付けた際に、カートリッジ制限モードであっても印刷の実行を許可するように制御してもよい。つまり、本発明に係る画像形成装置１００は、意図しないカートリッジが装着され、画像形成を制限している状態であっても、一定の画像形成を好適に許可する構成を有するものである。
【００２８】
また、本実施形態では、ジョブ種別に応じて一部の画像形成を許可する例について説明したが、本発明はこれに限定されない。例えば、印刷ジョブを指示したユーザを識別し、所定のユーザであればカートリッジ制限モードであっても印刷の実行を許可するように制御してもよい。所定のユーザとは、ユーザＩＤ等で判断し、例えばシステム管理者やメンテナンス担当者であってもよい。また、外部装置から受け付けた印刷ジョブであれば、その送信元の端末ＩＤに基づいて判断してもよい。
【００２９】
さらに、印刷ジョブに付加された情報に基づいて、カートリッジ制限モードであっても印刷の実行を許可するか否かを制御してもよい。例えば、付加された情報がカートリッジ制限モードであっても印刷ジョブの実行を許可する許可情報を含むものであれば、印刷の実行を許可してもよい。この場合、画像形成装置１００は、予め定められた許可情報を保持しておき、印刷ジョブに付加された情報が保持している許可情報と一致するものであれば印刷の実行を許可するように制御する。
【００３０】
このように、本発明に係る画像形成装置は、カートリッジ制限モードであっても、特定のジョブについては画像形成を許可することができる。なお、上述したような様々なジョブを特定のジョブとして取り扱うことができるが、いずれのジョブを特定のジョブとして扱うかの条件を設定するようにしてもよい。例えば、所定のジョブ種別、所定ユーザ又は所定装置からの印刷指示、及び所定の許可情報を有する印刷ジョブ、所定の内容が記録された印刷物の出力を行うための印刷ジョブの少なくとも１つを特定のジョブとして扱うことを設定する設定画面を操作表示部１０５に表示してもよい。この場合、当該設定画面を介したユーザ入力に従って選択された設定（条件）に基づいて画像形成を許可するか否かを判断してもよい。
【００３１】
＜第２の実施形態＞
以下では、本発明の第２の実施形態について説明する。本実施形態に係る画像形成装置は、上記第１の実施形態の構成に加えて、受け付けた印刷ジョブのジョブ種別が所定のジョブ種別でない場合であっても、ユーザに印刷の実行を許可するか否かを問い合わせる構成をさらに有する。
【００３２】
＜処理手順＞
まず、図４を参照して、本実施形態に係るカートリッジ制限モード時の消耗品情報に関する印刷ジョブを制御する処理手順について説明する。以下で説明する処理は、例えば、ＣＰＵ１０１がＲＯＭ１０２等から読み出したプログラムを実行することによって実現される。なお、ここでは消耗品情報に関する印刷ジョブのみを許可対象の印刷ジョブとして説明するが、上記第１の実施形態における末尾で説明した変形例を適用可能である。
【００３３】
まず、Ｓ４０１で、画像形成装置１００のＣＰＵ１０１は、外部接続された端末１０８又は画像形成装置１００の操作表示部１０５を介して指示された印刷ジョブを受け付ける。続いて、Ｓ２０２で、ＣＰＵ１０１は、予めユーザによって設定された、カートリッジ制限モードの設定状態を判断する。制限モードがＯＮ（有効）の場合（４０２の”Ｙｅｓ”の分岐）はＳ４０３に進み、そうでない場合はＳ４０５に進む、
Ｓ４０３で、ＣＰＵ１０１は、現在、画像形成装置１００に装着されているカートリッジが制限対象のカートリッジか否かを判断する。当該判断処理は上記第１の実施形態のＳ２０３と同様の処理であるため詳細な説明については省略する。カートリッジが制限対象であった場合（４０３の”Ｙｅｓ”の分岐）はＳ４０４に進む、そうでない場合はＳ４０５に進む。
【００３４】
Ｓ４０４で、ＣＰＵ１０１は、受け付けた印刷ジョブのジョブ種別が消耗品情報関連の印刷であるか否かを判断する。当該判断処理は上記第１の実施形態のＳ２０４と同様の処理であるため詳細な説明については省略する。消耗品情報関連の印刷ジョブであった場合（４０４の”Ｙｅｓ”の分岐）はＳ４０５に進み、そうでない場合はＳ４０７に進む。
【００３５】
Ｓ４０５で、ＣＰＵ１０１は印刷を実行し、Ｓ４０６に進む。一方、消耗品情報関連の印刷ジョブでなかった場合（４０４の”Ｎｏ”の分岐）はＳ４０７で、ＣＰＵ１０１は、後述するカートリッジ制限モードの設定画面（選択画面）５１０を表示する設定がＯＮであるかどうかを判断する。カートリッジ制限モードの設定画面５１０を表示する設定がＯＮである場合（４０７の”Ｙｅｓ”の分岐）はＳ４０８に進み、そうでない場合はＳ４１０に進む。
【００３６】
Ｓ４０８で、ＣＰＵ１０１は、操作表示部１０５に、一時的にカートリッジ制限モードを変更するかどうかをユーザに選択させる設定画面５１０を表示する。その後再度、Ｓ４０９で、ＣＰＵ１０１は、カートリッジ制限モードがＯＮであるかどうかを判断する。即ち、設定画面５１０を介してカートリッジ制限モードが一時的に無効（ＯＦＦ）にされたか否かを判断する。カートリッジ制限モードがＯＦＦである場合（４０９の”Ｎｏ”の分岐）はＳ４０５に進んで、ＣＰＵ１０１は印刷を実行し、Ｓ４０６に進む。なお、カートリッジ制限モードがＯＦＦの場合（２０２の”Ｎｏ”の分岐）、又はカートリッジが制限対象でない場合（４０３の”Ｎｏ”の分岐）にも、ＣＰＵ１０１は印刷を実行し、Ｓ４０６に進む。
【００３７】
一方、カートリッジ制限モードの設定画面５１０を表示する設定がＯＦＦの場合（４０７の”Ｎｏ”の分岐）、又は、再設定後のカートリッジ制限モードの設定がＯＮの場合（４０９の”Ｙｅｓ”の分岐）はＳ４１０に進む。Ｓ４１０で、ＣＰＵ１０１は、印刷エラーである旨の画面を表示し、印刷を実行せずに処理を終了する。
【００３８】
なお、印刷を実行した場合には、Ｓ４０６に進み、ＣＰＵ１０１は、カートリッジ制限モードを一時的に無効にした場合には、当該モードを有効に戻して処理を終了する。つまり、ここでは、画像形成が終了すると、画像形成実行前の状態であるカートリッジ制御モードへ移行する処理を実行する。
【００３９】
＜画面例＞
次に、図５を参照して、本実施形態に係る画像形成装置１００の操作表示部１０５に表示される画面例について説明する。設定画面５００は、本発明におけるカートリッジ制限モードの設定画面（選択画面）５１０の表示又は非表示を設定する画面である。設定画面５００は、ユーザによる設定画面操作により、操作表示部１０５に表示される。設定画面５００には、カートリッジ制限モードが有効である場合に特定のジョブ以外のジョブを受け付けた場合に、一時的に当該モードを無効に変更するか否かを選択可能な設定画面５１０を表示する選択肢５０１と、当該設定画面５１０を表示しない選択肢５０２が選択可能に表示される。選択肢５０１及び選択肢５０２は操作表示部１０５を介したユーザ入力従って選択される。
【００４０】
設定画面５１０は、上述したように、本発明におけるカートリッジ制限モードＯＮ時に印刷ジョブを受け付けたとき、一時的に当該モードをＯＦＦに設定する画面である。当該設定画面は図４のフローチャートのＳ４０８で操作表示部１０５に表示される画面である。つまり、設定画面５１０は、カートリッジ制限モードがＯＮで、かつカートリッジ制限モードの変更可能な画面の表示がＯＮである場合に、操作表示部１０５に表示される。設定画面５１０には、一時的にカートリッジ制限モードを無効にする選択肢５１１と、一時的にカートリッジ制限モードを無効にしない、即ち、有効のまま維持する選択肢５１２とが選択可能に表示される。つまり、選択肢５１１が選択されると受け付けた印刷ジョブの印刷が実行され、選択肢５１２が選択されると受け付けた印刷ジョブの印刷が実行されず、エラー画面が表示される。
【００４１】
以上説明したように、本実施形態に係る画像形成装置では、カートリッジ制限モードが有効である場合に、印刷が許可される特定のジョブ以外の印刷ジョブを受け付けると、ユーザに印刷を実行するか否かを問い合わせる。これにより、ユーザの意図に応じた画像形成制御を実現することができ、よりユーザの利便性を考慮した仕組みを提供することができる。
【００４２】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４３】
１００：画像形成装置、１０１：ＣＰＵ、１０２：ＲＯＭ、１０３：ＲＡＭ、１０４：プリンタ、１０５：操作表示部、１０６：ＵＳＢ  Ｉ／Ｆ、１０７：ネットワーク  Ｉ／Ｆ、１０８：端末、１０９：ＬＡＮ
【図１】
2018101111.tif 000003
【図２】
2018101111.tif 000004
【図３】
2018101111.tif 000005
【図４】
2018101111.tif 000006
【図５】
2018101111.tif 000007